(57)【特許請求の範囲】
【請求項１】
電子教材を表示手段に表示させる表示制御手段と、
前記電子教材の所定の頁内のエリアであって、コンテンツと関連付けられた関連付けエリアの情報を記憶する記憶手段と、
前記関連付けエリアが複数設けられた前記電子教材の頁又は見開き頁における当該関連付けエリアに関連付けられた前記コンテンツの再生又は表示の順番を設定する再生順番設定手段と、
外部入力に基づき、前記関連付けエリアに関連付けられたコンテンツを再生又は表示する再生制御手段と、
前記再生又は表示の順番が設定されたコンテンツのうち、再生又は表示されていないコンテンツが再生又は表示された場合、当該コンテンツと同一頁又は同一見開き頁にある関連付けエリアに関連付けられた再生又は表示されていない各コンテンツの再生又は表示の順番を再設定する再生順番再設定手段と、
を有することを特徴とする端末装置。
【請求項２】
前記再生順番再設定手段は、
前記再生又は表示されていない各コンテンツの再生又は表示の順番を、前記再生順番設定手段が設定した再生又は表示の順番に基づき再設定することを特徴とする請求項１に記載の端末装置。
【請求項３】
前記電子教材の各頁又は各見開き頁には、前記再生順番設定手段が設定した前記再生又は表示の順番に基づき前記コンテンツを再生又は表示させるための再生用アイコンが設けられ、
前記再生制御手段は、前記再生用アイコンが選択された場合、再生又は表示すべき順番にあたる前記コンテンツの再生又は表示を行うことを特徴とする請求項１または２に記載の端末装置。
【請求項４】
前記再生制御手段は、前記表示手段に表示された前記電子教材の頁又は見開き頁内の前記関連付けエリアが選択された場合、設定された再生又は表示の順番に関わらず、当該関連付けエリアに関連付けられたコンテンツを再生又は表示することを特徴とする請求項１乃至３のいずれか一項に記載の端末装置。
【請求項５】
前記表示制御手段は、
前記表示手段に表示された前記電子教材の頁又は見開き頁において、前記再生又は表示されていない各コンテンツに対応する前記関連付けエリアを前記表示手段に強調して表示させると共に、
前記再生又は表示されていない各コンテンツの前記再生又は表示の順番の表示を、対応する前記関連付けエリアに付すことを特徴とする請求項１乃至４のいずれか一項に記載の端末装置。
【請求項６】
前記表示制御手段は、前記関連付けエリアを前記表示手段に強調して表示させる場合、当該関連付けエリアを対応するコンテンツの種類ごとに色分けして前記表示手段に表示させることを特徴とする請求項５に記載の端末装置。
【請求項７】
前記再生順番設定手段は、前記表示制御手段に表示された前記電子教材の頁又は見開き頁において、前記関連付けエリアが選択された選択順に基づき、前記再生又は表示の順番を定めることを特徴とする請求項１乃至６のいずれか一項に記載の端末装置。
【請求項８】
端末装置と、
接触位置を検知し、当該接触位置を示す検知信号を前記端末装置へ送信する電子シートと、
前記端末装置から送信される画像信号に基づく光を前記電子シートの表面に出射するプロジェクタとを備えるコンテンツ再生システムであって、
前記端末装置は、
電子教材を前記プロジェクタにより前記電子シートに投影表示させる表示制御手段と、
前記電子教材の所定の頁内のエリアであって、コンテンツと関連付けられた関連付けエリアの情報を記憶する記憶手段と、
前記関連付けエリアが複数設けられた前記電子教材の頁又は見開き頁における当該関連付けエリアに関連付けられた前記コンテンツの再生又は表示の順番を設定する再生順番設定手段と、
前記検知信号に基づき、前記関連付けエリアに関連付けられたコンテンツを再生又は表示する再生制御手段と、
前記再生又は表示の順番が設定されたコンテンツのうち、再生又は表示されていないコンテンツが再生又は表示された場合、当該コンテンツと同一頁又は同一見開き頁にある関連付けエリアに関連付けられた再生又は表示されていない各コンテンツの再生又は表示の順番を再設定する再生順番再設定手段と
を有することを特徴とするコンテンツ再生システム。
【請求項９】
コード化パターンが印刷された教材と、
端末装置と、
コード化パターンを読み取ってペン先部の位置座標またはコード値を演算し、当該位置座標またはコード値を含む記入情報を前記端末装置に送信する電子ペンと
を備えるコンテンツ再生システムにおいて、
前記端末装置は、
コンテンツと関連付けられた前記教材の関連付けエリアの情報を記憶する記憶手段と、
前記関連付けエリアが複数設けられた前記教材の頁又は見開き頁における当該関連付けエリアに関連付けられた前記コンテンツの再生又は表示の順番を設定する再生順番設定手段と、
前記電子ペンから受信した記入情報に基づき、前記教材の前記関連付けエリアに関連付けられたコンテンツを再生又は表示する再生制御手段と、
前記再生又は表示の順番が設定されたコンテンツのうち、再生又は表示されていないコンテンツが再生又は表示された場合、当該コンテンツと同一頁又は同一見開き頁にある関連付けエリアに関連付けられた再生又は表示されていない各コンテンツの再生又は表示の順番を再設定する再生順番再設定手段と
を有することを特徴とするコンテンツ再生システム。
【請求項１０】
端末装置と、
コード化パターンを読み取ってペン先部の位置座標またはコード値を演算し、当該位置座標またはコード値を含む記入情報を前記端末装置に送信する電子ペンと、
コード化パターンが表面に付されたスクリーンと、
前記端末装置から送信される画像信号に基づく光を前記スクリーンの表面に出射するプロジェクタとをさらに備え、
前記端末装置は、
電子教材を前記プロジェクタにより前記スクリーンに投影表示させる表示制御手段と、
前記電子教材の所定の頁内のエリアであって、コンテンツと関連付けられた関連付けエリアの情報を記憶する記憶手段と、
前記関連付けエリアが複数設けられた前記電子教材の頁又は見開き頁における当該関連付けエリアに関連付けられた前記コンテンツの再生又は表示の順番を設定する再生順番設定手段と、
前記電子ペンから受信した記入情報に基づき、前記関連付けエリアに関連付けられたコンテンツを再生又は表示する再生制御手段と、
前記再生又は表示の順番が設定されたコンテンツのうち、再生又は表示されていないコンテンツが再生又は表示された場合、当該コンテンツと同一頁又は同一見開き頁にある関連付けエリアに関連付けられた再生又は表示されていない各コンテンツの再生又は表示の順番を再設定する再生順番再設定手段と
を有することを特徴とするコンテンツ再生システム。
【請求項１１】
請求項１乃至１０のいずれか一項に記載の端末装置としてコンピュータを機能させることを特徴とするプログラム。
【発明の詳細な説明】
【技術分野】
【０００１】
本発明は、電子教材に関連付けられた動画像などのコンテンツを再生する技術に関する。
【背景技術】
【０００２】
従来から、電子教材をスクリーンなどに投影表示しつつ、必要に応じて表示中の頁に関連するコンテンツの再生などを行うことが可能な教育支援システムが知られている。例えば、特許文献１には、授業の際には、予め用意されたシナリオに基づき、教材データをスクリーン上に表示する授業支援システムが記載されている。この授業支援システムでは、「次頁」と表示されたボタンが画面上で選択されることで、画面内に設けられた表示領域全体が予め用意されたシナリオ通りに遷移する。
【先行技術文献】
【特許文献】
【０００３】
【特許文献１】特開２００２−０７２８５０号公報
【発明の概要】
【発明が解決しようとする課題】
【０００４】
電子教科書（教材）の所定の図面部分などに関連する動画などのコンテンツを関連付けておき、授業中では、スクリーン等に電子教材を表示させつつ、コンテンツを関連付けたエリアを適宜選択して、そのコンテンツを講師の任意のタイミングで再生することができると便宜である。一方、電子教材の各頁又は見開き頁ごとに複数のコンテンツが関連付けられている場合には、講師は、授業中でのコンテンツの再生順番を間違えてしまう可能性がある。従って、この場合には、これらの複数のコンテンツを再生又は表示する順番を予め設定することができると便宜である。また、この場合、授業の流れなどから、予め設定した順番と異なる順に一部のコンテンツを再生又は表示させた場合であっても、残余の未再生コンテンツの再生順番を適切に設定し、漏れなく再生又は表示できることが望ましい。
【０００５】
そこで、本発明は、予め設定した順番と異なる順に一部のコンテンツを再生又は表示させた場合であっても、残余の未再生コンテンツの再生順番を適切に設定することが可能な端末装置、コンテンツ再生システム及びプログラムを提供することを主な課題とする。
【課題を解決するための手段】
【０００６】
本発明に係る端末装置は、電子教材を表示手段に表示させる表示制御手段と、電子教材の所定の頁内のエリアであって、コンテンツと関連付けられた関連付けエリアの情報を記憶する記憶手段と、前記関連付けエリアが複数設けられた前記電子教材の頁又は見開き頁における当該関連付けエリアに関連付けられた前記コンテンツの再生又は表示の順番を設定する再生順番設定手段と、外部入力に基づき、前記関連付けエリアに関連付けられたコンテンツを再生又は表示する再生制御手段と、前記再生又は表示の順番が設定されたコンテンツのうち、再生又は表示されていないコンテンツが再生又は表示された場合、当該コンテンツと同一頁又は同一見開き頁にある関連付けエリアに関連付けられた再生又は表示されていない各コンテンツの再生又は表示の順番を再設定する再生順番再設定手段と、を有する。
【０００７】
上記の端末装置は、表示制御手段と、記憶手段と、再生順番設定手段と、再生制御手段と、再生順番再設定手段とを有し、電子教材の各頁又は見開き頁のうち、関連付けエリアを複数有する頁又は見開き頁に関連付けられたコンテンツの再生順番を定める。そして、端末装置は、再生又は表示の順番が設定されたコンテンツのうち、再生又は表示されていないコンテンツが再生又は表示された場合、当該コンテンツと同一頁又は同一見開き頁にある関連付けエリアに関連付けられた再生又は表示されていない各コンテンツの再生又は表示の順番を再設定する。これにより、端末装置は、予め設定した順番と異なる順に一部のコンテンツを再生又は表示させた場合であっても、残余の未再生コンテンツの再生順番を設定することができる。
【０００８】
上記端末装置の一態様では、前記再生順番再設定手段は、前記再生又は表示されていない各コンテンツの再生又は表示の順番を、前記再生順番設定手段が設定した再生又は表示の順番に基づき再設定する。これにより、端末装置は、予め設定した順番と異なる順に一部のコンテンツを再生又は表示させた場合であっても、残余の未再生コンテンツの再生順番を好適に設定することができる。
【０００９】
上記端末装置の他の一態様では、前記電子教材の各頁又は各見開き頁には、前記再生順番設定手段が設定した前記再生又は表示の順番に基づき前記コンテンツを再生又は表示させるための再生用アイコンが設けられ、前記再生制御手段は、前記再生用アイコンが選択された場合、再生又は表示すべき順番にあたる前記コンテンツの再生又は表示を行う。この態様により、ユーザは、再生用アイコンを選択する操作を行うだけで、順番を設定したコンテンツを、順に端末装置に再生又は表示させることができる。
【００１０】
上記端末装置の一態様では、前記再生制御手段は、前記表示手段に表示された前記電子教材の頁又は見開き頁内の前記関連付けエリアが選択された場合、設定された再生又は表示の順番に関わらず、当該関連付けエリアに関連付けられたコンテンツを再生又は表示する。このように、端末装置は、予め設定した順番と異なる順に一部のコンテンツを再生又は表示させた場合であっても、残余の未再生コンテンツの再生順番を好適に設定することができる。
【００１１】
上記端末装置の他の一態様では、前記表示制御手段は、前記表示手段に表示された前記電子教材の頁又は見開き頁において、前記再生又は表示されていない各コンテンツに対応する前記関連付けエリアを前記表示手段に強調して表示させると共に、前記再生又は表示されていない各コンテンツの前記再生又は表示の順番の表示を、対応する前記関連付けエリアに付す。この態様により、ユーザは、残余の未再生コンテンツの再生順番を容易に把握することができる。
【００１２】
上記端末装置の他の一態様では、前記表示制御手段は、前記関連付けエリアを前記表示手段に強調して表示させる場合、当該関連付けエリアを対応するコンテンツの種類ごとに色分けして前記表示手段に表示させる。この態様により、ユーザは、残余の未再生コンテンツの再生順番と共に、当該未再生コンテンツの種類を容易に把握することができる。
【００１３】
上記端末装置の他の一態様では、前記再生順番設定手段は、前記表示制御手段に表示された前記電子教材の頁又は見開き頁において、前記関連付けエリアが選択された選択順に基づき、前記再生又は表示の順番を定める。この態様により、端末装置は、ユーザの意図に即して、各コンテンツの再生又は表示の順番を決定することができる。
【００１４】
本発明に係るコンテンツ再生システムは、端末装置と、接触位置を検知し、当該接触位置を示す検知信号を前記端末装置へ送信する電子シートと、前記端末装置から送信される画像信号に基づく光を前記電子シートの表面に出射するプロジェクタと、を備えるコンテンツ再生システムであって、前記端末装置は、電子教材を前記プロジェクタにより前記電子シートに投影表示させる表示制御手段と、前記電子教材の所定の頁内のエリアであって、コンテンツと関連付けられた関連付けエリアの情報を記憶する記憶手段と、前記関連付けエリアが複数設けられた前記電子教材の頁又は見開き頁における当該関連付けエリアに関連付けられた前記コンテンツの再生又は表示の順番を設定する再生順番設定手段と、前記検知信号に基づき、前記関連付けエリアに関連付けられたコンテンツを再生又は表示する再生制御手段と、前記再生又は表示の順番が設定されたコンテンツのうち、再生又は表示されていないコンテンツが再生又は表示された場合、当該コンテンツと同一頁又は同一見開き頁にある関連付けエリアに関連付けられた再生又は表示されていない各コンテンツの再生又は表示の順番を再設定する再生順番再設定手段と、
を有する。この態様によれば、コンテンツ再生システムは、電子シートに電子教材を表示し、当該電子シート上への操作に基づき、予め設定した順番と異なる順に一部のコンテンツを再生又は表示させた場合であっても、残余の未再生コンテンツの再生順番を好適に設定することができる。
【００１５】
本発明に係るコンテンツ再生システムの別の態様では、コード化パターンが印刷された教材と、端末装置と、コード化パターンを読み取ってペン先部の位置座標またはコード値を演算し、当該位置座標またはコード値を含む記入情報を前記端末装置に送信する電子ペンとを備えるコンテンツ再生システムにおいて、前記端末装置は、コンテンツと関連付けられた前記教材の関連付けエリアの情報を記憶する記憶手段と、前記関連付けエリアが複数設けられた前記教材の頁又は見開き頁における当該関連付けエリアに関連付けられた前記コンテンツの再生又は表示の順番を設定する再生順番設定手段と、前記電子ペンから受信した記入情報に基づき、前記教材の前記関連付けエリアに関連付けられたコンテンツを再生又は表示する再生制御手段と、前記再生又は表示の順番が設定されたコンテンツのうち、再生又は表示されていないコンテンツが再生又は表示された場合、当該コンテンツと同一頁又は同一見開き頁にある関連付けエリアに関連付けられた再生又は表示されていない各コンテンツの再生又は表示の順番を再設定する再生順番再設定手段と、を有する。この態様によれば、コンテンツ再生システムは、教材上への電子ペンによる操作に基づき、予め設定した順番と異なる順に一部のコンテンツを再生又は表示させた場合であっても、残余の未再生コンテンツの再生順番を好適に設定することができる。
【００１６】
本発明に係るコンテンツ再生システムのさらに別の態様では、端末装置と、コード化パターンを読み取ってペン先部の位置座標またはコード値を演算し、当該位置座標またはコード値を含む記入情報を前記端末装置に送信する電子ペンと、コード化パターンが表面に付されたスクリーンと、前記端末装置から送信される画像信号に基づく光を前記スクリーンの表面に出射するプロジェクタと、をさらに備え、前記端末装置は、電子教材を前記プロジェクタにより前記スクリーンに投影表示させる表示制御手段と、前記電子教材の所定の頁内のエリアであって、コンテンツと関連付けられた関連付けエリアの情報を記憶する記憶手段と、前記関連付けエリアが複数設けられた前記電子教材の頁又は見開き頁における当該関連付けエリアに関連付けられた前記コンテンツの再生又は表示の順番を設定する再生順番設定手段と、前記電子ペンから受信した記入情報に基づき、前記関連付けエリアに関連付けられたコンテンツを再生又は表示する再生制御手段と、前記再生又は表示の順番が設定されたコンテンツのうち、再生又は表示されていないコンテンツが再生又は表示された場合、当該コンテンツと同一頁又は同一見開き頁にある関連付けエリアに関連付けられた再生又は表示されていない各コンテンツの再生又は表示の順番を再設定する再生順番再設定手段とを有する。この態様によれば、コンテンツ再生システムは、コード化パターンが表面に付されたスクリーン上への電子ペンによる操作に基づき、予め設定した順番と異なる順に一部のコンテンツを再生又は表示させた場合であっても、残余の未再生コンテンツの再生順番を好適に設定することができる。
【００１７】
本発明に係るプログラムは、上記記載のいずれか一つの端末装置としてコンピュータを機能させる。これらのプログラムをコンピュータにインストールすることで、本発明に係る端末装置を構成させることができる。
【発明の効果】
【００１８】
本発明によれば、端末装置は、再生又は表示の順番が設定されたコンテンツのうち、再生又は表示されていないコンテンツが再生又は表示された場合、当該コンテンツと同一頁又は同一見開き頁にある関連付けエリアに関連付けられた再生又は表示されていない各コンテンツの再生又は表示の順番を再設定する。これにより、端末装置は、予め設定した順番と異なる順に一部のコンテンツを再生又は表示させた場合であっても、残余の未再生コンテンツの再生順番を設定することができる。
【図面の簡単な説明】
【００１９】
【図１】本実施形態に係るコンテンツ再生システムの構成を示す。
【図２】電子教科書の表示例である。
【図３】端末装置の機能ブロック図である。
【図４】関連付けエリア情報のデータ構造を示す。
【図５】関連付けエリアを色分け表示するためのアイコンが選択される直前の端末装置のディスプレイ画面を示す。
【図６】関連付けエリアを色分け表示するためのアイコンが選択された後の端末装置のディスプレイ画面を示す。
【図７】初期再生順番の設定に伴う電子教科書上での指先の位置変化を示す。
【図８】初期再生順番が設定された見開き頁が表示された端末装置のディスプレイ画面を示す。
【図９】更新再生順番の設定処理の手順を示すフローチャートである。
【図１０】見開き頁上で再生操作が行われる様子を示す。
【図１１】ファイル「ワークシート１．ｐｄｆ」の表示例を示す。
【図１２】未再生表示アイコンが選択された際の端末装置のディスプレイ画面を示す。
【図１３】第２実施形態に係るコンテンツ再生システムの構成を示す。
【図１４】ドットパターンのドットとそのドットが変換される値との関係を示す。
【図１５】（ａ）は、ドットパターンを模式的に示し、（ｂ）は、それに対応する情報の例を示す図である。
【図１６】電子ペンの構造を示す概略図である。
【発明を実施するための形態】
【００２０】
以下、図面を参照しながら、本発明を実施するのに好適な実施形態について説明する。以下に説明するコンテンツ再生システムは、学校の授業などに好適に用いられ、電子化された電子教科書（教材）の任意の範囲と動画などのコンテンツとが関連付けられており、同一の見開き頁内に関連付けられたコンテンツの再生順番を予め設定可能なシステムである。なお、「見開き頁」とは、電子教科書が表示された場合に上下又は左右に並ぶ頁の組を指す。
【００２１】
［コンテンツ再生システムの構成］
図１は、本実施形態に係るコンテンツ再生システムの構成を示す。図１に示すように、コンテンツ再生システムは、後述する電子教科書２を表示すると共にユーザからの入力に基づき所定の処理を行う端末装置３と、端末装置３と接続され、そのディスプレイの表示画面と同じ画像を電子黒板５に投影するプロジェクタ４と、接触された位置を検知可能な電子黒板（電子シート）５とを備える。以下、これらの各構成要素について説明する。
【００２２】
（電子教科書）
まず、端末装置３のディスプレイに表示される電子教科書２について説明する。図２は、ある頁（第２２、２３頁）が見開き状態で表示された電子教科書２の上面図を示す。なお、図２に示す電子教科書２は、電子黒板５にも同様に表示される。
【００２３】
図２に示すように、電子教科書２は、見開き頁ごとに表示され、各見開き頁は、教科書の内容が記載された内容表示領域２０と、選択可能な各アイコン４１乃至６２が表示された操作領域４０とを有する。
【００２４】
内容表示領域２０は、動画、画像、ＰＤＦ（登録商標）、音声データなどのコンテンツと関連付けられている領域（「関連付けエリア」とも呼ぶ。）を有する。関連付けエリアが選択された場合、当該領域に関連付けられたコンテンツ（「関連付けコンテンツ」とも呼ぶ。）が端末装置３により再生される。
【００２５】
次に、各アイコン４１乃至６２に関連付けられた機能について説明する。アイコン４１は、後述する図３に示す電子教科書２の目次を端末装置３のディスプレイに表示させるための操作領域である。アイコン４２は、端末装置３のディスプレイにコンテンツが再生又は表示されている場合に、当該コンテンツの前面に電子教科書２を表示させるための操作領域である。アイコン４３は、端末装置３のディスプレイに表示されている電子教科書２の見開き頁を、２頁分だけ前に戻すための操作領域である。アイコン４４は、端末装置３のディスプレイに表示されている電子教科書２の見開き頁を、２頁分だけ進めるための操作領域である。
【００２６】
アイコン４５、４６は、書込みモードに切り替えるための操作領域である。具体的には、アイコン４５は、電子教科書２上でスタイラスなどが接触した位置の軌跡を再現した自由曲線のストロークを電子教科書２上に描画する書込みモードに切り替えるための操作領域である。アイコン４６は、電子教科書２上でスタイラスなどが接触した位置の軌跡に基づく直線のストロークを電子教科書２上に描画する書込みモードに切り替えるための操作領域である。アイコン４７は、アイコン４５又は４６に対応する書込みモードにおいて描画されたストロークの色を赤色に指定するための操作領域であり、アイコン４８は、上述のストロークの色を青色に指定するための操作領域である。なお、後述するように、ユーザは、コンテンツの再生中においても、アイコン４５又は４６を選択し、ディスプレイ上におけるスタイラス等の接触位置の軌跡に基づくストロークを電子教科書２上に描画させることが可能である。
【００２７】
アイコン４９は、アイコン４５又は４６に対応する書込みモードにおいて描画されたストロークの表示及び非表示を切り替えるための操作領域である。アイコン５０は、電子教科書２上に描画されたストロークの表示位置をドラッグ操作に基づき移動させるモードに切り替えるための操作領域である。アイコン５１は、ドラッグ操作により指定された領域を拡大表示するための操作領域である。アイコン５２は、ディスプレイ上で接触を検知した位置に存在するストロークを消去するための操作領域である。アイコン５３は、当該アイコン５３が印刷されている見開き頁に描画されたストロークを全て消去するための操作領域である。アイコン５４は、停止中または一時停止中の動画の再生を開始するための操作領域である。アイコン５５は、再生中の動画の巻き戻しをするための操作領域である。アイコン５６は、再生中の動画を一時停止するための操作領域である。アイコン５７は、再生中の動画を早送りするための操作領域である。アイコン５８は、再生中の動画を停止するための操作領域である。
【００２８】
アイコン５９は、電子教科書２内の関連付けエリアを色付きで強調表示するための操作領域である。アイコン５９が選択された場合の表示例については、［関連付けエリアの表示］のセクションで詳しく説明する。順番設定用アイコン６０は、同一の見開き頁にある関連付けエリアに関連付けられたコンテンツの再生順番を設定するモード（「再生順番設定モード」とも呼ぶ。）の開始及び終了を指示するための操作領域である。以後では、再生順番設定モードにおいて設定された再生順番を、「初期再生順番」とも呼ぶ。再生順番設定モードについては、［初期再生順番の設定］のセクションで詳しく説明する。再生用アイコン６１は、設定された初期再生順番に従い、関連付けコンテンツを順に再生する指示を行う操作領域である。再生用アイコン６１に関連付けられた機能については、［コンテンツの再生］のセクションで詳しく説明する。未再生順番表示アイコン６２は、再生順番設定モードにおいて初期再生順番が設定されてから未再生又は未表示の関連付けコンテンツ（単に「未再生コンテンツ」とも呼ぶ。）の各々の再生順番を表示するための操作領域である。未再生順番表示アイコン６２が選択された場合に表示される再生順番は、初期再生順番とは異なり、既に再生又は表示された関連付けコンテンツを除外した未再生コンテンツの再生順番（「更新再生順番」とも呼ぶ。）である。更新再生順番の決定方法については、［更新再生順番の設定］のセクションで詳しく説明する。
【００２９】
（プロジェクタ）
プロジェクタ４は、電子黒板５に対して鉛直上方向から斜め下向きに光を出射するプロジェクタであり、例えば教室の壁等に設置される。プロジェクタ４は、端末装置３から画像信号を受信し、端末装置３の画面と同じ画像を構成する光を所定の投影範囲５０に投影する。投影範囲５０には、電子教科書２などが表示される。なお、プロジェクタ４は、電子黒板５の正面へ向けて光を出射するフロントプロジェクタ、又は、電子黒板５の背面へ向けて光を出射するリアプロジェクタであってもよい。
【００３０】
（電子黒板）
電子黒板５は、圧力を検知することが可能に構成された感圧式ボード（シート）である。そして、電子黒板５に所定のペン（スタイラス）により圧力が加わるとボード中に設けられた電気伝導性の２枚のシートが接触して電気信号が発生し、当該電気信号に基づく入力情報を端末装置３に送信する。そして、端末装置３は、電子黒板５から受信した入力情報に基づき、接触位置を検出する。
【００３１】
また、電子黒板５の投影範囲５０には、端末装置３の画面と同じ画像を構成する光がプロジェクタ４により投影される。具体的には、投影範囲５０には、図２に示す電子教科書２が投影表示される。
【００３２】
なお、電子黒板５は、ボード表面の直下にワイヤが埋め込まれた電磁式ボードであってもよい。この場合、コンテンツ再生システムは、コイルを埋め込んだスタイラスを備え、スタイラスを電磁式ボードに接触させると、電磁式ボードは、スタイラスとの電磁誘導に基づき接触位置に相当する電気信号を発生し、当該電気信号に基づき、端末装置３は、接触位置を検出する。
【００３３】
そして、電子黒板５がいずれの入力方式である場合も、端末装置３は、後述するように、電子黒板５にかかる座標系を端末装置３のディスプレイにかかる座標系に変換するための座標変換関数を予め求める。そして、端末装置３は、求められた座標変換関数を用いて、ボード上の接触位置に相当する座標データを受信した場合に、表示手段３６のディスプレイにかかる座標系のデータに変換し、表示された電子教科書２内のいずれのアイコン４１乃至６２又は関連付けエリアが選択されたか等を検知する。
【００３４】
（端末装置）
次に、端末装置３について説明する。端末装置３は、ハードウェアとして、電子黒板５とのデータ通信が可能なアンテナ装置、ＣＰＵ等のプロセッサ、ＲＯＭやＲＡＭといったメモリ、ディスプレイ、マウスやキーボード等で構成される。なお、端末装置３は、ｉＰａｄ（登録商標）などのタブレットＰＣやＰＤＡ（Ｐｅｒｓｏｎａｌ  Ｄａｔａ  Ａｓｓｉｓｔａｎｃｅ）、またはディスプレイを備えるＰＣ（パーソナルコンピュータ）等で構成されてもよい。ここでは、一例として、端末装置３は、タッチパネルによる入力が可能なタブレットＰＣであるものとする。
【００３５】
図３は、端末装置３の機能ブロック図である。端末装置３は、機能的には、タッチパネルなどの入力手段３１、通信手段３２、記憶手段３３、処理手段３４、表示手段３６、インターフェース３８を備える。通信手段３２は、アンテナ受信回路等により構成され、電子黒板５から入力情報を受信し、受信した情報を処理手段３４に伝送する。表示手段３６は、ディスプレイ等によって構成され、処理手段３４によって指示された内容を表示する。インターフェース３８は、プロジェクタ４と接続するためのインターフェースである。インターフェース３８は、処理手段３４の処理命令に基づき、表示手段３６に画像を表示するための画像信号をプロジェクタ４に送信し、表示手段３６の画像と同じ画像を同期して投影させる。
【００３６】
処理手段３４は、ＣＰＵ等のプロセッサによって構成され、端末装置３の全体の制御を行う。処理手段３４は、表示制御手段３４１と、再生順番設定手段３４２と、再生制御手段３４３と、再生順番再設定手段３４４とを備える。そして、処理手段３４は、表示手段３６のディスプレイに表示されたアイコン４１乃至６２がタッチパネル操作により選択されたことを検知した場合、選択されたアイコンに関連付けられた機能に応じて所定の処理を行う。
【００３７】
具体的には、タッチパネル操作により選択されたアイコンがアイコン４１乃至４４の場合、処理手段３４の表示制御手段３４１は、タッチパネル操作により選択されたアイコンに関連付けられた機能に従い、電子教科書２の所定の頁を見開き状態で表示手段３６に表示させる。
【００３８】
また、タッチパネル操作により選択されたアイコンがアイコン４５または４６の場合、表示制御手段３４１は、書込みモードを開始する。具体的には、表示制御手段３４１は、書込みモード時には、タッチパネルが検知した接触位置の位置座標に基づき、自由曲線又は直線のストロークを電子教科書２上に描画する。この場合、表示制御手段３４１は、コンテンツが再生中か否かに関わらず、ストロークを描画する。なお、書込みモードでは、表示制御手段３４１は、電子教科書２と表示中のコンテンツとを並べて表示してもよく、コンテンツが動画の場合には、当該コンテンツに対応する関連付けエリア内でコンテンツを表示してもよい。また、コンテンツが音声データの場合には、スピーカ（不図示）に音声を出力させつつ、表示制御手段３４１は、音声データを再生するソフトウェアの表示を非表示として、電子教科書２のみを表示してもよい。
【００３９】
タッチパネル操作により選択されたアイコンがアイコン４７乃至５３の場合、表示制御手段３４１は、タッチパネル操作により選択されたアイコンに関連付けられた機能に従い、所定の処理を実行する。また、再生制御手段３４３は、タッチパネル操作により選択されたアイコンがアイコン５４乃至５８の場合、タッチパネル操作により選択されたアイコンに関連付けられた機能に従い、再生対象の動画コンテンツの再生制御を行う。また、タッチパネル操作により選択されたアイコンがアイコン５９の場合、表示制御手段３４１は、関連付けられたコンテンツの種類に応じて、関連付けエリアを色分けして表示する。
【００４０】
タッチパネル操作により選択されたアイコンがアイコン６０の場合、処理手段３４は、再生順番設定モードを開始する。再生順番設定モードでは、処理手段３４の再生順番設定手段３４２は、同一の見開き頁にある関連付けエリアに関連付けられたコンテンツの初期再生順番を決定する。この処理については、［初期再生順番の設定］のセクションで具体的に説明する。タッチパネル操作により選択されたアイコンが再生用アイコン６１の場合、再生制御手段３４３は、更新再生順番が１番に設定された関連付けコンテンツを再生する。以後では、再生用アイコン６１の選択による関連付けコンテンツの再生又は表示を、「アイコン選択に基づく再生」と呼ぶ。タッチパネル操作により選択されたアイコンが未再生順番表示アイコン６２の場合、表示制御手段３４１は、各未再生コンテンツに対応する関連付けエリアを強調表示すると共に、各関連付けエリアに対して更新再生順番を重畳して表示する。この処理については、［更新再生順番の表示］のセクションで具体的に説明する。
【００４１】
また、処理手段３４は、電子教科書２の関連付けエリアが選択された場合、後述する関連付けエリア情報を参照し、タッチパネル操作により選択された関連付けエリアに関連付けられたコンテンツを再生又は表示する。関連付けエリアの選択による関連付けコンテンツの再生又は表示を、以後では「エリア選択に基づく再生」とも呼ぶ。
【００４２】
さらに、再生順番再設定手段３４４は、未再生コンテンツが再生された場合、同一見開き頁における他の未再生コンテンツの各更新再生順番を決定する。この処理については、［更新再生順番の設定］のセクションで詳しく説明する。
【００４３】
また、処理手段３４は、キャリブレーション用マークを少なくとも２以上、表示手段３６に表示させることにより、プロジェクタ４に対し、電子黒板５にもキャリブレーション用マークを投影させ、キャリブレーション用マークが投影された位置に対応する入力情報を受信することで、電子黒板５にかかる座標系を表示手段３６のディスプレイにかかる座標系に変換するための座標変換関数を求める（キャリブレーション処理機能）。さらに、処理手段３４は、そのキャリブレーション処理により求められた座標変換関数を用いて、電子黒板５にかかる座標系のデータを受信したときに、表示手段３６のディスプレイにかかる座標系のデータに変換する。そして、処理手段３４は、変換後のディスプレイにかかる座標系のデータに基づき、電子黒板５に表示されたアイコン４１乃至６２が選択されたことを認識した場合、端末装置３のディスプレイに表示されたアイコン４１乃至６２が選択された場合と同様の処理を実行する。また、処理手段３４は、変換後のディスプレイにかかる座標系のデータに基づき、電子黒板５に表示された関連付けエリアが選択されたことを認識した場合、後述する関連付けエリア情報を参照し、選択された関連付けエリアに関連付けられたコンテンツを再生又は表示する。
【００４４】
記憶手段３３は、ＲＯＭやＲＡＭといったメモリによって構成される。記憶手段３３は、各教科書を電子化した電子教科書２を記憶する。さらに、記憶手段３３は、各関連付けエリアに関連付けられるコンテンツを記憶すると共に、各関連付けエリアに関連する情報（「関連付けエリア情報」とも呼ぶ。）を記憶する。図４は、関連付けエリア情報のデータ構造を示す。図４に示すように、関連付けエリア情報には、各関連付けエリアの識別番号を示す「エリア番号」の項目と、電子教科書２の識別情報を示す「教科書ＩＤ」の項目と、関連付けエリアの頁番号を示す「頁番号」の項目と、頁内における相対的な位置を示す「頁内位置」の項目と、関連付けコンテンツのパス及びファイル名を示す「関連付けコンテンツ」の項目と、同一の見開き頁内における関連付けコンテンツの初期再生順番を示す「初期再生順番」の項目と、同一の見開き頁内における各未再生コンテンツの更新再生順番を示す「未再生コンテンツの再生順番」の項目に対応する情報がそれぞれ関連付けられている。なお、ここでは、図２に示す電子教科書２の教科書ＩＤは「Ｒ０１」であるものとし、頁内位置は、角の位置座標（Ｘｎ，Ｙｎ）、高さ（Ｙ方向）、幅（Ｘ方向）で規定されている。また、「初期再生順番」の項目の値は、後述する［初期再生順番の設定］のセクションで述べる処理に基づき設定される。また、「更新再生順番」の項目は、「初期再生順番」の項目の値を初期値とし、未再生コンテンツが再生又は表示される度に、後述する図９のフローチャートに基づき、再生順番再設定手段３４４により更新される。また、「更新再生順番」の項目は、対応する関連付けコンテンツが既に再生又は表示済みである場合、「再生済み」に設定される。
【００４５】
なお、再生順番以外の関連付けエリア情報は、予め記憶手段３３に記憶されていてもよく、ユーザの入力に基づき処理手段３４が生成してもよい。後者の場合、例えば、処理手段３４は、電子教科書２を表示した状態で、関連付けエリアとする領域をタッチパネルへのドラッグ操作などによりユーザに指定させると共に、当該関連付けエリアに関連付けるコンテンツをファイル選択用のＧＵＩ（Ｇｒａｐｈｉｃａｌ  Ｕｓｅｒ  Ｉｎｔｅｒｆａｃｅ）などを表示することでユーザに指定させる。関連付けコンテンツは、講師が授業用に自らビデオカメラ等の撮影手段を用いて撮影を行った結果生成された映像データなどであってもよく、静止画像データであってもよく、ワークシートなどであってもよい。
【００４６】
［関連付けエリアの表示］
次に、アイコン５９が選択された場合の電子教科書２の表示について説明する。図５は、アイコン５９が選択される直前の端末装置３のディスプレイ画面を示す。
【００４７】
図５に示すように、アイコン５９が選択される直前では、図４の関連付けエリア情報に記憶された２２頁に存在するエリア番号Ｎ１の関連付けエリアと、２３頁に存在するエリア番号Ｎ２の関連付けエリアとがいずれも他のエリアと判別できない態様で、２２頁及び２３頁の見開き頁が表示されている。そして、ユーザは、関連付けコンテンツの再生順番を設定する場合などに、指先で端末装置３のディスプレイ画面におけるアイコン５９の表示部分をタッチする。
【００４８】
図６は、アイコン５９が選択された後の端末装置３のディスプレイ画面を示す。図６に示すように、アイコン５９が選択された場合、表示制御手段３４１は、対応する関連付けコンテンツの種類ごとに、各関連付けエリアを色分けして表示する。具体的には、拡張子が「ｐｄｆ」のＰＤＦファイル「ワークシート１．ｐｄｆ」と関連付けられたエリア番号Ｎ１の関連付けエリア「２１」は、青に着色された状態で表示されている。一方、拡張子が「ｍｐ４」の動画ファイル「断層○○町．ｍｐ４」と関連付けられた関連付けエリア「２２」は、赤に着色された状態で表示される。同様に、拡張子が「ｍｐ４」の動画ファイル「断層△△町．ｍｐ４」と関連付けられた関連付けエリア「２３」は、赤に着色された状態で表示され、拡張子が「ｍｐ４」の動画ファイル「断層□□町．ｍｐ４」と関連付けられた関連付けエリア「２４」は、赤に着色された状態で表示される。このようにすることで、ユーザは、各関連付けエリアの位置及び範囲並びに当該関連付けエリアに関連付けられているコンテンツの種類を容易に把握することができる。そして、アイコン５９が再びタッチされた場合、表示制御手段３６は、図６に示す表示から、図５に示す表示に再び切り替える。
【００４９】
なお、図５及び図６に示すディスプレイ画面の表示は、電子黒板５の投影範囲５０に投影される表示と同一であり、電子黒板５に投影表示されたアイコン５９が選択された場合も同様に、図５に示す表示と図６に示す表示とが切り替わる。
【００５０】
［初期再生順番の設定］
次に、同一の見開き頁内に複数の関連付けエリアが存在する場合の関連付けコンテンツの初期再生順番の設定方法について具体的に説明する。概略的には、再生順番設定手段３４２は、再生順番設定モード時において、端末装置３のディスプレイ上でタッチされた関連付けエリアの順番に基づき、関連付けコンテンツの初期再生順番を定める。
【００５１】
図７は、端末装置３のディスプレイ画面に表示された電子教科書２上での初期再生順番の設定に伴う操作する指先の位置変化を示す図である。まず、アイコン６０が指先８０によりタッチされる（第１ステップ）。この場合、処理手段３４は、タッチパネルから送信される検出信号に基づき、アイコン６０がタッチされたことを認識し、再生順番設定モードを開始する。以降は、ユーザの意思により、同一の見開き頁内に存在する複数の関連付けエリアを、関連付けられたコンテンツを再生したい順番でタッチする。
【００５２】
図７に示す例では、関連付けエリア２１が指先８０によりタッチされる（第２ステップ）。この場合、処理手段３４の再生順番設定手段３４２は、タッチパネルから送信される検出信号に基づき、関連付けエリア２１がタッチされたことを認識する。そして、再生順番設定手段３４２は、見開き頁（ここでは２２、２３頁）に関連した関連付けコンテンツのうち、関連付けエリア２１に関連付けられたコンテンツ「ワークシート１．ｐｄｆ」の初期再生順番を１番に設定する。
【００５３】
その後、関連付けエリア２４が指先８０によりタッチされる（第３ステップ）。この場合、処理手段３４の再生順番設定手段３４２は、関連付けエリア２４がタッチパネル操作により選択されたことを認識する。そして、再生順番設定手段３４２は、見開き頁に関連した関連付けコンテンツのうち、関連付けエリア２４に関連付けられた関連付けコンテンツ「断層□□町．ｍｐ４」の初期再生順番を２番に設定する。
【００５４】
次に、関連付けエリア２２が指先８０によりタッチされる（第４ステップ）。この場合、処理手段３４の再生順番設定手段３４２は、関連付けエリア２２がタッチパネル操作により選択されたことを認識する。そして、再生順番設定手段３４２は、見開き頁に関連した関連付けコンテンツのうち、関連付けエリア２２に関連付けられた関連付けコンテンツ「断層○○町．ｍｐ４」の初期再生順番を３番に設定する。その後、同様に、関連付けエリア２３が指先８０によりタッチされる（第５ステップ）。この場合、処理手段３４の再生順番設定手段３４２は、関連付けエリア２３がタッチパネル操作により選択されたことを認識する。そして、再生順番設定手段３４２は、見開き頁に関連した関連付けコンテンツのうち、関連付けエリア２３に関連付けられた関連付けコンテンツ「断層△△町．ｍｐ４」の初期再生順番を４番に設定する。
【００５５】
次に、アイコン６０が指先８０により再びタッチされる（第６ステップ）。この場合、再生順番設定手段３４２は、タッチパネルにより検出した接触位置に基づき、アイコン６０がタッチされたことを認識し、再生順番設定モードを終了する。これにより、再生順番設定手段３４２は、端末装置３のディスプレイに表示された見開き頁における初期再生順番を確定する。具体的には、再生順番設定手段３４２は、前述した図４に示すように、関連付けエリア２１に関連付けられたコンテンツである「ワークシート１．ｐｄｆ」の初期再生順番が１番である旨を関連付けエリア情報に記憶し、関連付けエリア２４に関連付けられたコンテンツである「断層□□町．ｍｐ４」の初期再生順番が２番である旨を関連付けエリア情報に記憶する。さらに、再生順番設定手段３４２は、関連付けエリア２２に関連付けられたコンテンツである「断層○○町．ｍｐ４」の初期再生順番が３番である旨を関連付けエリア情報に記憶し、関連付けエリア２３に関連付けられたコンテンツである「断層△△町．ｍｐ４」の初期再生順番が４番である旨を関連付けエリア情報に記憶する。
【００５６】
このように、再生順番設定手段３４２は、複数の関連付けエリアがある任意の見開き頁において、関連付けコンテンツの再生順番を、ユーザに複雑な操作を要求することなく、ユーザが意図してタッチした順番に即して定めることができる。
【００５７】
なお、電子黒板５の投影範囲５０に投影表示された電子教科書２のアイコン６０が選択された場合も、同様に、再生順番設定手段３４２は、再生順番設定モードを開始する。そして、再生順番設定手段３４２は、再生順番設定モードでは、電子黒板５の投影範囲５０に投影表示された電子教科書２の関連付けエリアが選択された順番を記憶する。そして、再び再生用アイコン６１が選択されて再生順番設定モードを終了する際に、再生順番設定手段３４２は、電子黒板５に投影表示された見開き頁における初期再生順番を、再生順番設定モードにおいて関連付けエリアが選択された順番に基づき決定し、図４に示す関連付けエリア情報に記憶する。
【００５８】
［初期再生順番設定後の表示］
次に、初期再生順番が設定された後の端末装置３のディスプレイ画面について図８を参照して説明する。図８は、初期再生順番が設定された見開き頁が表示された端末装置３のディスプレイ画面を示す。
【００５９】
図８に示すように、表示制御手段３４１は、初期再生順番が設定された見開き頁を表示する場合、初期再生順番が定められた関連付けエリア２１、２２上に、対応する関連付けコンテンツの初期再生順番の番号を重畳表示する。図８に示す例は、初期再生順番が１番に設定された関連付けエリア２１には、「（１）」の表示が付され、初期再生順番が２番に設定された関連付けエリア２４には、「（２）」の表示が付され、初期再生順番が３番に設定された関連付けエリア２２には、「（３）」の表示が付され、初期再生順番が４番に設定された関連付けエリア２３には、「（４）」の表示が付される。
【００６０】
このように、表示制御手段３４１は、再生順番が設定された見開き頁を端末装置３のディスプレイに表示させる場合、設定された初期再生順番をユーザが視認できるように、設定された初期再生順番を示す表示を、対応する関連付けエリアに付す。これにより、ユーザは、設定した初期再生順番を、端末装置３のディスプレイ上又は電子黒板５上で容易に把握することができる。なお、表示制御手段３４１は、端末装置３のディスプレイ又は電子黒板５上に表示されたアイコン５９が選択された場合、色による強調表示と同様、初期再生順番の表示の有無を切り替えてもよい。
【００６１】
［更新再生順番の設定］
次に、再生順番が定められた関連付けコンテンツが再生又は表示された際に再生順番再設定手段３４４が実行する更新再生順番の設定方法について説明する。概略的には、再生順番再設定手段３４４は、未再生コンテンツが再生又は表示された場合、残余の未再生コンテンツに設定する各更新再生順番を、初期再生順番に従い１から始まる通し番号となるように設定する。
【００６２】
図９は、再生順番再設定手段３４４が行う更新再生順番の設定処理の手順を示すフローチャートである。再生順番再設定手段３４４は、図９に示すフローチャートの処理を繰り返し実行する。
【００６３】
まず、再生順番再設定手段３４４は、未再生コンテンツを再生又は表示させる操作を検知したか否か判定する（ステップＳ１０１）。具体的には、再生順番再設定手段３４４は、再生用アイコン６１が選択されたか否か、及び、未再生コンテンツに関連付けられた関連付けエリアが選択されたか否か判定する。なお、後者の判定では、再生順番再設定手段３４４は、関連付けエリア情報の「更新再生順番」の項目を参照して、選択された関連付けエリアに関連付けられたコンテンツが再生済みであるか否か判定する。そして、未再生コンテンツを再生又は表示させる操作を検知しない場合（ステップＳ１０１：Ｎｏ）、再生順番再設定手段３４４は、未再生コンテンツを再生又は表示させる操作を検知したか否か判定を引き続き行う。
【００６４】
一方、再生順番再設定手段３４４が未再生コンテンツを再生又は表示させる操作を検知した場合（ステップＳ１０１：Ｙｅｓ）、再生制御手段３４３は、当該未再生コンテンツの再生又は表示を行う（ステップＳ１０２）。具体的には、再生制御手段３４３は、再生用アイコン６１が選択された場合には、更新再生順番が１番の未再生コンテンツを再生又は表示し、関連付けエリアが選択された場合には、当該関連付けエリアに関連付けられた未再生コンテンツを再生又は表示する。そして、再生順番再設定手段３４４は、再生又は表示されたコンテンツに対して、再生済みである旨のフラグを付す（ステップＳ１０３）。図４の例では、再生順番再設定手段３４４は、再生又は表示されたコンテンツに対応する関連付けエリア情報の「更新再生順番」の項目を、「再生済み」に設定する。
【００６５】
次に、再生順番再設定手段３４４は、同一見開き頁に他の未再生コンテンツがあるか否か判定する（ステップＳ１０４）。具体的には、再生順番再設定手段３４４は、関連付けエリア情報の「更新再生順番」の項目を参照し、ステップＳ１０２で再生又は表示されたコンテンツと同一の見開き頁に関連付けられた未再生コンテンツがあるか否か判定する。そして、同一見開き頁に他の未再生コンテンツがない場合（ステップＳ１０４：Ｎｏ）、再生順番再設定手段３４４は、フローチャートの処理を終了する。なお、この場合、再生順番再設定手段３４４は、対象の見開き頁における各関連付けコンテンツの更新再生順番を、初期再生順番に設定することで初期化するとよい。これにより、ユーザは、他のクラスの授業において、再生順番設定モードにおいて設定した初期再生順番に基づき再び各関連付けコンテンツを再生又は表示することができる。
【００６６】
一方、同一見開き頁に他の未再生コンテンツがある場合（ステップＳ１０４：Ｙｅｓ）、再生順番再設定手段３４４は、ステップＳ１０２で再生又は表示されたコンテンツ以後の更新再生順番にある未再生コンテンツの各更新再生順番を１つ繰り上げる（ステップＳ１０５）。即ち、再生順番再設定手段３４４は、関連付けエリア情報の「更新再生順番」の項目を参照し、ステップＳ１０２で再生又は表示されたコンテンツの更新再生順番より数値が大きい同一見開き頁に対応する更新再生順番の数値を「１」だけ減算する。これにより、再生順番再設定手段３４４は、エリア選択に基づく再生により更新再生順番が１番でない未再生コンテンツの再生が行われた場合であっても、残余の未再生コンテンツの各更新再生順番を、初期再生順番に従い１から始まる通し番号となるように適切に設定することができる。この具体例については、［コンテンツ再生］のセクションで詳しく述べる。
【００６７】
［コンテンツ再生］
次に、コンテンツの再生又は表示の具体例について場合分けして説明する。
【００６８】
（１）アイコン選択に基づくコンテンツ再生のみが行われる場合
まず、再生用アイコン６１の選択のみによってコンテンツの再生又は表示が行われる場合について、図１０を参照して説明する。概略的には、再生制御手段３４３は、この場合、再生用アイコン６１がタッチされる毎に、更新再生順番が１番である関連コンテンツの再生を開始する。図１０は、初期再生順番が設定された後、端末装置３のディスプレイに表示された見開き頁上で操作が行われていることを示す図である。図１０の例では、見開き頁（２２、２３頁）における関連付けコンテンツはいずれも再生又は表示されていないものとする。
【００６９】
図１０において、まず、再生用アイコン６１が指先８０によりタッチされる。この場合、処理手段３４の再生制御手段３４３は、再生用アイコン６１がタッチパネル操作により選択されたことを認識する。そして、この場合、再生制御手段３４３は、図４に示す関連付けエリア情報を参照し、当該見開き頁（２２、２３頁）において、初期再生順番が１番に設定され、かつ、更新再生順番が１番である関連付けコンテンツを再生又は表示する。具体的には、再生制御手段３４３は、関連付けエリア２１に関連付けられた「ワークシート１．ｐｄｆ」をディスプレイ画面上に表示する。また、この場合、電子黒板５の投影範囲５０にも同様に、「ワークシート１．ｐｄｆ」が投影表示される。
【００７０】
図１１は、ファイル「ワークシート１．ｐｄｆ」の表示例を示す。図１１に示すように、ファイル「ワークシート１．ｐｄｆ」は、解答欄７０Ａ〜７０Ｅを有する。そして、電子黒板５に表示された「ワークシート１．ｐｄｆ」の解答欄７０Ａ〜７０Ｅへ生徒等が書込み用のペン（スタイラス）などにより書込みを行った場合、処理手段３４は、電子黒板５から送信された入力情報に含まれる座標情報を、座標変換関数に基づき表示手段３６の画面上での座標情報に変換し、当該座標情報に基づきストロークを表示手段３６に描画する。また、処理手段３４は、表示手段３６に画像を表示させるための画像信号をプロジェクタ４に送信し、表示手段３６の画像と同じ画像を同期して投影させる。これにより、電子黒板５にも同様に、記入者が描いたストロークが投影される。
【００７１】
再び図１０を参照して関連付けコンテンツの再生について説明する。ファイル「ワークシート１．ｐｄｆ」がディスプレイ上に表示された後、再生順番再設定手段３４４は、関連付けエリア情報のファイル「ワークシート１．ｐｄｆ」に対応する「更新再生順番」の項目を「再生済み」に設定する（図９のステップＳ１０３参照）。また、再生順番再設定手段３４４は、表示した関連付けコンテンツの更新再生順番が１番であることから、同一見開き頁（２２、２３頁）において更新再生順番が２番以降の未再生コンテンツの各更新再生順番を１つ繰り上げる（図９のステップＳ１０５参照）。具体的には、この場合、関連付けコンテンツ「断層□□町．ｍｐ４」の更新再生順番は２番から１番になり、関連付けコンテンツ「断層○○町．ｍｐ４」の更新再生順番は３番から２番になり、関連付けコンテンツ「断層△△町．ｍｐ４」の更新再生順番は４番から３番になる。このように、同一見開き頁（２２、２３頁）内の未再生コンテンツの各更新再生順番は、再び１から始まる通し番号となる。
【００７２】
次に、再生用アイコン６１が指先８０により再びタッチされる。この場合、処理手段３４の再生制御手段３４３は、タッチパネルから送信される検出信号に基づき、再生用アイコン６１がタッチされたことを認識する。そして、この場合、再生制御手段３４３は、図４に示す関連付けエリア情報を参照し、当該見開き頁（２２、２３頁）において、初期再生順番が２番に設定され、かつ、更新再生順番が１番である関連付けコンテンツを再生又は表示する。具体的には、再生制御手段３４３は、関連付けエリア２２に関連付けられた動画コンテンツ「断層□□町．ｍｐ４」を再生する。また、この場合、電子黒板５の投影範囲５０にも同様に、動画コンテンツ「断層□□町．ｍｐ４」が投影表示される。なお、再生制御手段３４３は、動画コンテンツ「断層□□町．ｍｐ４」を再生する場合に、コンテンツ「ワークシート１．ｐｄｆ」を強制的に終了させてもよく、動画コンテンツ「断層○○町．ｍｐ４」の背面に表示位置を遷移させる処理のみを行ってもよい。さらに、再生順番再設定手段３４４は、関連付けエリア情報のファイル「断層□□町．ｍｐ４」に対応する「更新再生順番」の項目を「再生済み」に設定し（図９のステップＳ１０３参照）、かつ、見開き頁（２２、２３頁）における他の全ての未再生コンテンツの更新再生順番を１だけ繰り上げる（図９のステップＳ１０５参照）。これにより、関連付けコンテンツ「断層○○町．ｍｐ４」の更新再生順番は２番から１番になり、関連付けコンテンツ「断層△△町．ｍｐ４」の更新再生順番は３番から２番になる。
【００７３】
同様に、再生用アイコン６１が指先８０により再びタッチされた場合、初期再生順番が３番に設定され、かつ、更新再生順番が１番である関連付けコンテンツ「断層△△町．ｍｐ４」を再生又は表示する。そして、再生順番再設定手段３４４は、関連付けエリア情報のファイル「断層△△町．ｍｐ４」に対応する「更新再生順番」の項目を「再生済み」に設定し（図９のステップＳ１０３参照）、かつ、見開き頁（２２、２３頁）における他の未再生コンテンツの更新再生順番の数値を１だけ減算する（図９のステップＳ１０５参照）。これにより、関連付けコンテンツ「断層△△町．ｍｐ４」の更新再生順番は２番から１番になる。
【００７４】
そして、再生用アイコン６１が指先８０により再びタッチされた場合、初期再生順番が４番に設定され、かつ、更新再生順番が１番である関連付けコンテンツ「断層○○町．ｍｐ４」を再生又は表示する。そして、再生順番再設定手段３４４は、関連付けエリア情報のファイル「断層○○町．ｍｐ４」に対応する「更新再生順番」の項目を「再生済み」に設定する（図９のステップＳ１０３参照）。また、再生順番再設定手段３４４は、同一見開き頁（２２、２３頁）に他の未再生コンテンツが存在しないことから、関連付けエリア情報の同一見開き頁（２２、２３頁）における各関連付けコンテンツの「更新再生順番」の各項目を初期値である初期再生順番の値に戻すなどの処理を行う。
【００７５】
このように、再生制御手段３４３は、ユーザである講師が予定していた授業の流れに沿って、授業中、再生順番に間違いを生じさせることなく、コンテンツを適切に再生することができる。
【００７６】
なお、電子黒板５の投影範囲５０に投影表示された電子教科書２の再生用アイコン６１がタッチされた場合も、同様に、端末装置３は、更新再生順番が１番の関連付けコンテンツを再生する。具体的には、投影範囲５０内における再生用アイコン６１の表示位置がスタイラスなどによりタッチされた場合、再生制御手段３４３は、電子黒板５から受信した入力情報の座標情報を座標変換関数により表示手段３６のディスプレイにかかる座標系に変換し、変換後の位置座標に基づき、再生用アイコン６１が指定されたことを認識する。そして、この場合、再生制御手段３４３は、関連付けエリア情報を参照し、現在ディスプレイ上に表示中の見開き頁を対象に、更新再生順番が１番の関連付けコンテンツを再生する。また、再生順番再設定手段３４４は、この場合、同一見開き頁における未再生コンテンツの更新再生順番を１だけ繰り上げる処理などを行う。
【００７７】
（２）エリア選択に基づく再生が行われる場合
次に、アイコン選択に基づくコンテンツ再生に代えて、又はこれに加えて、エリア選択に基づく再生が行われる場合について説明する。以下では、一例として、一度再生用アイコン６１が選択された後、関連付けエリア２２が選択された場合について説明する。
【００７８】
まず、再生用アイコン６１が指先８０によりタッチされた場合、再生制御手段３４３は、初期再生順番が１番に設定され、かつ、更新再生順番が１番である関連付けコンテンツ「ワークシート１．ｐｄｆ」を再生又は表示する（図９のステップＳ１０２参照）。そして、再生順番再設定手段３４４は、関連付けエリア情報のファイル「ワークシート１．ｐｄｆ」に対応する「更新再生順番」の項目を「再生済み」に設定する（図９のステップＳ１０３参照）。また、再生順番再設定手段３４４は、表示した関連付けコンテンツの更新再生順番が１番であることから、同一見開き頁（２２、２３頁）において更新再生順番が２番以降の未再生コンテンツの各更新再生順番を１つ繰り上げる（図９のステップＳ１０５参照）。具体的には、この場合、関連付けコンテンツ「断層□□町．ｍｐ４」の更新再生順番は２番から１番になり、関連付けコンテンツ「断層○○町．ｍｐ４」の更新再生順番は３番から２番になり、関連付けコンテンツ「断層△△町．ｍｐ４」の更新再生順番は４番から３番になる。このように、同一見開き頁（２２、２３頁）内の未再生コンテンツの各更新再生順番は、再び１から始まる通し番号となる。
【００７９】
次に、関連付けエリア２２が指先８０によりタッチされた場合、再生制御手段３４３は、関連付けエリア情報を参照し、当該関連付けエリアに関連付けられた関連付けコンテンツ「断層○○町．ｍｐ４」を再生する（図９のステップＳ１０２参照）。そして、再生順番再設定手段３４４は、関連付けエリア情報のファイル「断層○○町．ｍｐ４」に対応する「更新再生順番」の項目を「再生済み」に設定する（図９のステップＳ１０３参照）。また、再生順番再設定手段３４４は、再生した関連付けコンテンツの更新再生順番が２番であることから、同一見開き頁（２２、２３頁）において更新再生順番が３番以降の未再生コンテンツの各更新再生順番を１つ繰り上げる（図９のステップＳ１０５参照）。これにより、関連付けコンテンツ「断層△△町．ｍｐ４」の更新再生順番は３番から２番になる。一方、関連付けコンテンツ「断層□□町．ｍｐ４」の更新再生順番は１番のままとなる。このように、エリア選択に基づく再生が適宜行われた結果、設定した順番通りでないコンテンツを再生又は表示した場合であっても、再生順番再設定手段３４４は、残余の未再生コンテンツに対する各更新再生順番を、１から始まる通し番号となるように再設定する。
【００８０】
そして、再生用アイコン６１が指先８０により再びタッチされた場合、再生制御手段３４３は、更新再生順番が１番である関連付けコンテンツ「断層□□町．ｍｐ４」の再生を行う。この場合、再生順番再設定手段３４４は、更新再生順番が「２」であった「断層△△町．ｍｐ４」の更新再生順番を「１」に設定する。
【００８１】
このように、エリア選択に基づく再生が適宜行われた結果、設定した順番通りでないコンテンツを再生又は表示した場合であっても、端末装置３は、残余の未再生コンテンツに対する更新再生順番を、初期再生順番に従い１から始まる通し番号になるように設定する。これにより、ユーザは、再生用アイコン６１の選択と、関連付けエリアの選択とを併用した場合であっても、漏れなくコンテンツの再生又は表示を行うことができる。
【００８２】
［更新再生順番の表示］
次に、未再生順番表示アイコン６２が選択された場合の電子教科書２の表示について説明する。図１２は、未再生順番表示アイコン６２が選択された端末装置３のディスプレイ画面を示す。ここでは、一度再生用アイコン６１が選択され、その後に関連付けエリア２２が選択された際に、未再生順番表示アイコン６２が選択されたものとする。
【００８３】
図１２に示すように、この場合、表示制御手段３４１は、未再生コンテンツに関連付けられた関連付けエリア２３、２４を強調表示すると共に、更新再生順番を重畳して表示する。ここで、図４に示す関連付け情報と同様、関連付けエリア２３に関連付けられたコンテンツ「断層△△町．ｍｐ４」の更新再生順番は「２」であり、関連付けエリア２４に関連付けられたコンテンツ「断層□□町．ｍｐ４」の更新再生順番は「１」である。従って、関連付けエリア２３には、「（２）」の文字が重畳して表示され、関連付けエリア２４には、「（１）」の文字が重畳して表示される。
【００８４】
このように、ユーザは、未再生順番表示アイコン６２を選択することで、未再生コンテンツに対応する関連付けエリア及びその更新再生順番を容易に把握することができる。
【００８５】
［第１実施形態のコンテンツ再生システムによる作用効果］
第１実施形態のコンテンツ再生システムによれば、端末装置３の再生順番設定手段３４２は、電子教科書２の各頁又は見開き頁のうち、関連付けエリアを複数有する頁又は見開き頁に関連付けられたコンテンツの初期再生順番を定める。そして、端末装置３の再生順番再設定手段３４４は、初期再生順番が設定された未再生コンテンツが再生又は表示された場合、同一見開き頁にある関連付けエリアに関連付けられた未再生コンテンツの更新再生順番を、初期再生順番に基づき１から始まる通し番号となるように設定する。これにより、端末装置３は、予め設定した初期再生順番と異なる順に一部のコンテンツが再生又は表示された場合であっても、残余の未再生コンテンツの再生順番を好適に設定することができる。
【００８６】
また、電子教科書２の各見開き頁には、再生用アイコン６１が設けられ、再生制御手段３４３は、再生用アイコン６１が選択された場合、更新再生順番が１番のコンテンツの再生又は表示を行う。この態様により、ユーザは、再生用アイコン６１を選択する操作を行うだけで、コンテンツを、意図した順に漏れなく再生又は表示させることができる。
【００８７】
また、再生制御手段３４３は、電子教科書２の見開き頁内の関連付けエリアが選択された場合、更新再生順番が１番であるか否かに関わらず、当該関連付けエリアに関連付けられたコンテンツを再生又は表示する。そして、この場合、再生順番再設定手段３４４は、再生又は表示されたコンテンツ以後の更新再生順番にある未再生コンテンツの各更新再生順番を１つ繰り上げる。このように、端末装置３は、予め設定した順番と異なる順に一部のコンテンツを再生又は表示させた場合であっても、残余の未再生コンテンツの更新再生順番を好適に設定することができる。
【００８８】
また、電子教科書２の各見開き頁には、未再生順番表示アイコン６２が設けられ、未再生順番表示アイコン６２が選択された場合、表示制御手段３４１は、未再生コンテンツに対応する各関連付けエリアを強調表示すると共に、各未再生コンテンツの更新再生順番を、対応する関連付けエリアに重畳して表示する。これにより、ユーザは、残余の未再生コンテンツの再生順番を容易に把握することができる。
【００８９】
［変形例］
次に、第１実施形態の変形例について説明する。以下の変形例は、任意に組み合わせて上述の実施形態に適用してもよい。
【００９０】
（変形例１）
端末装置３のディスプレイに表示されたアイコン４１乃至６２及び関連付けエリアを選択する操作は、指先８０によるタッチ操作に限定されず、スタイラスによるタッチ操作であってもよく、又は、端末装置３がマウスを有する場合には、マウスのクリック操作であってもよい。
【００９１】
（変形例２）
図８に示す関連付けエリア情報では、「関連付けコンテンツ」の項目には、関連付けコンテンツを特定するための情報として、当該関連付けコンテンツのパス及びファイル名が記憶されていた。これに代えて、「関連付けコンテンツ」の項目には、電子コンテンツを閲覧可能な動画サイトを開くためのＵＲＬ（Ｕｎｉｆｏｒｍ  Ｒｅｓｏｕｒｃｅ  Ｌｏｃａｔｏｒ）や、端末装置３とネットワークを介して通信可能なサーバ装置が記憶した映像等の再生を行うためのＵＲＬが記憶されていてもよい。
【００９２】
この場合、再生制御手段３４３は、再生すべき再生順番にある関連付けコンテンツが関連付けエリア情報中でＵＲＬにより特定されていた場合には、当該ＵＲＬに基づき、所定のＷＥＢサイトを表示したり、サーバ装置と接続してストリーミング再生等を開始したりする。この場合、ＵＲＬに基づき表示されるＷＥＢサイト及び映像等は、本発明における「コンテンツ」の一例である。
【００９３】
（変形例３）
図６に示す電子教科書２では、関連付けエリア２１、２２が色付きで強調表示されていた。これに代えて、又は、これに加えて、表示制御手段３４１は、関連付けエリア２１、２２と対応する位置に、関連付けられたコンテンツのファイル名又は／及び当該コンテンツを小さく表示した画像又は映像を表示させてもよい。例えば、表示制御手段３４１は、関連付けエリア２１、２２を同一の色で着色すると共に、これらのエリアと重なる位置又は近接する位置に関連付けコンテンツのファイル名を表示させる。
【００９４】
これによっても、表示制御手段３４１は、各関連付けエリア２１、２２に関連付けられたコンテンツの種類又はファイル名をユーザに認識させることができる。
【００９５】
（変形例４）
端末装置３は、同一の見開き頁内における関連付けコンテンツの初期再生順番を設定する代わりに、１頁ごとの関連付けコンテンツの初期再生順番を設定してもよい。例えば、この場合、電子教科書２の頁ごとにアイコン６０及び再生用アイコン６１が表示される。そして、端末装置３は、アイコン６０が選択された場合、当該アイコン６０が表示された頁を対象に再生順番設定モードを開始し、再生用アイコン６１が選択された場合、当該再生用アイコン６１が表示された頁を対象に初期再生順番及び更新再生順番に従った再生を行う。
【００９６】
（変形例５）
エリア選択に基づく再生により、更新再生順番が１番でない未再生コンテンツの再生が行われた場合、再生順番再設定手段３４４は、残余の未再生コンテンツの更新再生順番をユーザの入力に基づき決定してもよい。例えば、この場合、再生順番再設定手段３４４は、再生順番設定モードと同様に、未再生コンテンツの関連付けエリアを再生又は表示したい順に選択させることで、未再生コンテンツの更新再生順番を決定する。これによっても、好適に、更新再生順番が１番でない未再生コンテンツの再生が行われた場合に、再生順番再設定手段３４４は、残余の未再生コンテンツの更新再生順番を定めることができる。
【００９７】
（変形例６）
再生順番設定モードにおいて見開き頁内の関連付けコンテンツの初期再生順番を決定する代わりに、再生順番設定手段３４２は、所定の規則に基づき自動的に初期再生順番を決定してもよい。
【００９８】
例えば、再生順番設定手段３４２は、見開き頁内の関連付けコンテンツが複数存在する場合、表示制御手段３４１は、頁番号が小さい頁であって上方に位置する関連付けエリアに対応する関連付けコンテンツから順に初期再生順番を自動的に割当てる。これにより、再生順番設定手段３４２は、授業の進行に応じた適切な初期再生順番を設定することができる。この場合であっても、ユーザは、エリア選択に基づく再生により、更新再生順番が１番でない未再生コンテンツの再生を行うことができ、かつ、再生順番再設定手段３４４は、図９のフローチャートに基づき、残余の未再生コンテンツの更新再生順番を適切に設定することができる。
【００９９】
＜第２実施形態＞
図１３は、第２実施形態に係るコンテンツ再生システムの構成を示す。図１３に示すように、コンテンツ再生システムは、講師が使用する電子ペン１と、各頁の略全面にドットパターン（コード化パターン）が印刷された教科書（教材）２Ａと、電子ペン１から記入情報等を受信して処理する端末装置３Ａと、端末装置３Ａと接続され、そのディスプレイの表示画面と同じ画像をドットスクリーン５Ａに投影するプロジェクタ４と、ドットパターンが印刷されたドットスクリーン５Ａとを備える。そして、第２実施形態では、コンテンツ再生システムは、教科書２Ａ又はドットスクリーン５Ａへの電子ペン１による記入操作に基づき、初期再生順番を決定したり、関連付けコンテンツの再生又は表示をしたりする。また、コンテンツ再生システムは、未再生コンテンツが再生又は表示された場合には、第１実施形態と同様に同一見開き頁における各未再生コンテンツの更新再生順番を設定する。以後では、第１実施形態と同様の部分については、同一の符号を付し、適宜その説明を省略する。
【０１００】
（教科書）
まず、教科書（電子ペン用図書）２Ａについて説明する。教科書２Ａの各見開き頁は、図２に示す電子教科書２と同様に、内容表示領域２０と、アイコン４１乃至６２が印刷された操作領域４０とを有する。そして、内容表示領域２０と、各アイコン４１乃至６２を含む領域には、後述する位置座標を示すドットパターン（コード化パターン）が印刷される。また、教科書２Ａの各頁には、それぞれ異なる座標範囲のドットパターンが印刷される。ドットパターンは、電子ペン１により読み取ることができるように赤外線を吸収するカーボンを含んだインクにより印刷され、その他の文字や図などは、赤外線を吸収しないインキにより印刷される。
【０１０１】
（ドットスクリーン）
ドットスクリーン５Ａは、白地の樹脂基板に、電子ペン１により読み取ることができるよう赤外線を吸収するカーボンを含んだインクによりドットパターン（コード化パターン）が印刷され、さらにドットパターンが例えば透明なＥＢ硬化樹脂層などで保護された層構成を有している。
【０１０２】
ドットスクリーン５Ａの投影範囲５０には、端末装置３Ａの画面と同じ画像を構成する光がプロジェクタ４により投影される。具体的には、投影範囲５０には、図２に示す教科書２Ａが電子化された電子教科書２が投影表示される。そして、ユーザがドットスクリーン５Ａに投影表示されたアイコン４１乃至６２を電子ペン１によりタップしてそのアイコンが投影された領域のドットパターンを読み取らせた場合、端末装置３Ａは、電子ペン１から記入情報を受信して、タップしたアイコンに割当てられた機能に応じて、表示される電子教科書２の頁を変更したり、電子ペン１による書込みモードを開始したりする。
【０１０３】
（ドットパターン）
続いて、教科書２Ａの各頁やドットスクリーン５Ａに印刷されたアノト方式のドットパターン（コード化パターン）について図１４及び図１５を用いて説明する。図１４は、ドットパターンのドットとそのドットが変換される値との関係を説明する図である。図１４に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、教科書２Ａの各頁やドットスクリーン５Ａ上の位置座標が決定されるよう構成されている。なお、教科書２Ａの頁同士又は教科書２Ａの各頁とドットスクリーン５Ａとでは座標領域が重ならないようドットパターンが形成される。
【０１０４】
図１５（ａ）は、あるドットパターンの配列を示している。図１５（ａ）に示すように、縦横約２ｍｍの範囲内に６×６個のドットが、教科書２Ａの各頁やドットスクリーン５Ａ上のどの部分から６×６ドットを取ってもユニークなパターンとなるように配置されている。これら３６個のドットにより形成されるドットパターンは位置座標（例えば、そのドットパターンが教科書２Ａの各頁やドットスクリーン５Ａ上のどの位置にあるのか）を保持している。図１５（ｂ）は、図１５（ａ）に示す各ドットを、格子の基準位置からのシフト方向によって、図１４に示す規則性に基づいて対応づけられた値に変換したものである。この変換は、ドットパターンの画像を撮影する電子ペン１によって行われる。
【０１０５】
（電子ペン）
次に、電子ペン１について図１６を用いて説明する。図１６は、電子ペン１の構造を示す概略図である。図１６に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３を教科書２Ａの各頁やドットスクリーン５Ａ上に当接させて、ストローク（手書きストローク）を記入する。ここで、電子ペン１のペン先部１０３が教科書２Ａの各頁等に最初に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【０１０６】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により教科書２Ａの各頁等に文字やマークを書いたりタップしたりする際にペン先部１０３からインクカートリッジ１０４を通じて与えられる圧力、即ち筆圧を検出し、その値をプロセッサ１０８へ伝送する。
【０１０７】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で教科書２Ａの各頁等に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報（以後、「ペンダウン情報ＰＤ」と呼ぶ。）と、後述する電子ペン１の識別情報（以後、「ペンＩＤ」と呼ぶ。）とを関連付けて、記入情報として端末装置３Ａへ送信する。また、ユーザが１つのストロークを記入し終えて電子ペン１を教科書２Ａの各頁から離すと、圧力センサ１０７は、所定値以上の筆圧が検出されなくなることでペンアップを検出する。すると、通信ユニット１１１が、圧力センサ１０７により検出されたペンアップ情報（以後、「ペンアップ情報ＰＵ」と呼ぶ。）とペンＩＤとを関連付けて、記入情報として端末装置３Ａへ送信する。
【０１０８】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、教科書２Ａの各頁上のペン先部１０３近傍に向けて赤外線を照明する。その領域は、ペン先部１０３が教科書２Ａの各頁に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、教科書２Ａの各頁に文字や図面などが印刷されていた場合でも、印刷したインクは赤外域に吸収性を持たないため、プロセッサ１０８は、ドットパターンを認識することができる。なお、ＣＭＯＳカメラ１０６による撮影領域は、図１５（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【０１０９】
プロセッサ１０８は、ユーザの記入が行われる間、ＣＭＯＳカメラ１０６によって供給される画像データのドットパターンから、ユーザが記入するストローク（筆跡）の教科書２Ａの各頁等におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図１５（ａ）に示されるようなドットパターンの画像データを図１５（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算の際にその機能が実行される。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、教科書２Ａの各頁やドットスクリーン５Ａにおける６×６のドットパターンは、教科書２Ａの各頁及びドットスクリーン５Ａ内で重複することはないため、ユーザが電子ペン１で文字等を記入すると、記入された位置が教科書２Ａの各頁又はドットスクリーン５Ａのどの位置に当たるかを、プロセッサ１０８による座標演算により特定することができる。
【０１１０】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として端末装置３Ａへ送信する。この場合の通信ユニット１１１による端末装置３Ａへの送信は、Ｂｌｕｅｔｏｏｔｈ（登録商標）などの無線送信によって、即時的かつ逐次的に行われる。ここで、電子ペン１のペンダウンからペンアップまでの間に生成されて端末装置３Ａに送信された１個又は複数個の座標属性情報は、端末装置３Ａによりストローク情報として記憶される。換言すると、１つのストロークは、１個又は複数個のＸ、Ｙ座標（座標点）からなり、端末装置３Ａは、ペンダウン情報ＰＤ及びペンアップ情報ＰＵによって、１つのストロークを構成する１個又は複数個の座標属性情報を認識する。
【０１１１】
なお、電子ペン１は、インクカートリッジ１０４に代えて、インキが充填されていないペン部を備えてもよい。この場合、ペン先部１０３からインキが出力されない。また、教科書２Ａとドットスクリーン５Ａとのそれぞれに対して電子ペン１が用意される場合には、教科書２Ａに対してはインクカートリッジ１０４を有する電子ペン１が用意され、ドットスクリーン５Ａに対してはペン部を有する電子ペン１が用意されてもよい。
【０１１２】
（端末装置）
端末装置３Ａは、例えばマウスやキーボードなどによる入力が可能なＰＣ（パーソナルコンピュータ）などであり、第１実施形態の端末装置３と同様のハードウェア構成及び機能構成を有する。そして、端末装置３Ａの処理手段３４は、教科書２Ａに印刷されたアイコン４１乃至６２、又はドットスクリーン５Ａに投影表示されたアイコン４１乃至６２が電子ペン１によりタップされてドットパターンが読み取られた場合、電子ペン１により生成され送信されてきた記入情報に基づき、後述する座標定義情報を参照し、タップされたアイコンを認識する。そして、端末装置３Ａの処理手段３４は、タップされたアイコンに関連付けられた機能に応じて所定の処理を行う。
【０１１３】
例えば、電子ペン１によりタップされたアイコンがアイコン６０の場合、端末装置３Ａの再生順番設定手段３４２は、第１実施形態の［初期再生順番の設定］のセクションで述べたように、再生順番設定モードを開始し、同一の見開き頁にある関連付けエリアに関連付けられたコンテンツの初期再生順番を決定する。電子ペン１によりタップされたアイコンが再生用アイコン６１の場合、再生制御手段３４３は、更新再生順番が１番に設定された関連付けコンテンツをドットスクリーン５Ａに投影して再生または表示する。
【０１１４】
また、電子ペン１によりタップされたアイコンが未再生順番表示アイコン６２の場合、表示制御手段３４１は、図１２に示すように、対象の見開き頁における各未再生コンテンツに対応する関連付けエリアを強調表示すると共に、各関連付けエリアに対応する更新再生順番を重畳して表示する。
【０１１５】
また、再生順番再設定手段３４４は、未再生コンテンツが再生又は表示された場合、図９に示すフローチャートに従い、同一見開き頁における残余の未再生コンテンツに設定する更新再生順番を設定する。
【０１１６】
なお、端末装置３Ａの処理手段３４は、第１実施形態と同様に、キャリブレーション処理を行い、ドットスクリーン５Ａのドットパターンにかかる座標系を表示手段３６のディスプレイにかかる座標系に変換するための座標変換関数を求める。さらに、処理手段３４は、そのキャリブレーション処理により求められた座標変換関数を用いて、ドットスクリーン５Ａのドットパターンにかかる座標系のデータを受信したときに、表示手段３６のディスプレイにかかる座標系のデータに変換する。
【０１１７】
端末装置３Ａの記憶手段３３は、電子ペン１から受信した記入情報をペンＩＤ毎に記憶する。また、記憶手段３３は、教科書２Ａの種類ごとに当該教科書２Ａの各頁の内容表示領域２０及びアイコン４１乃至６２に対応するドットパターンが示す座標範囲、及びドットスクリーン５Ａに対応するドットパターンが示す座標範囲の情報（「座標定義情報」とも呼ぶ。）を記憶する。その他、端末装置３と同様、記憶手段３３は、図４に示す関連付けエリア情報を記憶する。
【０１１８】
［第２実施形態のコンテンツ再生システムによる作用効果］
第２実施形態のコンテンツ再生システムによれば、端末装置３は、教科書２Ａ又はドットスクリーン５Ａへの電子ペン１による記入情報に基づき、初期再生順番を決定したり、関連付けコンテンツの再生又は表示をしたりすることができる。また、端末装置３は、未再生コンテンツが再生又は表示された場合には、第１実施形態と同様に同一見開き頁における各未再生コンテンツの更新再生順番を１から始まる通し番号に設定することができる。その他、第２実施形態のコンテンツ再生システムは、第１実施形態と同様の機能を実現することができる。
【０１１９】
［変形例］
次に、第２実施形態の変形例について説明する。第２実施形態では、上述した第１実施形態の変形例１乃至変形例６に加え、以下の変形例７を適用してもよい。
【０１２０】
（変形例７）
第２実施形態において、電子ペン、ドットパターン（コード化パターン）、記入情報に、アノト方式を用いたが、アノト方式に限られなくともよい。また、ドットパターン（コード化パターン）も、位置座標を示すものに限られず、アイコンを識別するためのコード値や、関連付けエリアを識別するためのコード値を示すものであってもよい。
【符号の説明】
【０１２１】
１…電子ペン
２…電子教科書
３、３Ａ…端末装置
４…プロジェクタ
５…電子黒板
５Ａ…ドットスクリーン
【図１】
0005943293.tif 000002
【図２】
0005943293.tif 000003
【図３】
0005943293.tif 000004
【図４】
0005943293.tif 000005
【図５】
0005943293.tif 000006
【図６】
0005943293.tif 000007
【図７】
0005943293.tif 000008
【図８】
0005943293.tif 000009
【図９】
0005943293.tif 000010
【図１０】
0005943293.tif 000011
【図１１】
0005943293.tif 000012
【図１２】
0005943293.tif 000013
【図１３】
0005943293.tif 000014
【図１４】
0005943293.tif 000015
【図１５】
0005943293.tif 000016
【図１６】
0005943293.tif 000017